(57)【要約】【課題】通報装置の停電時でも、該通報装置に接続したセンサが検知した異常を警報管理装置へ出力可能とする。【解決手段】１ないし複数のセンサを接続した通報装置１の停電を停電制御部６０で検出した場合、停電情報を警報管理装置１００に送信し、出力切替部４０により、警報管理装置１００との接続を、各センサに対応して配置した通常時の通信線３１から、停電用通信ケーブル３１ａとしてあらかじめ定めた１ないし複数の通信線のみを用いる形態に切り替えるとともに、センサインターフェース部１０からのセンサデータを制御部３０を介さずに警報管理装置１００側に送信する状態に切り替える。一方、通報装置１の停電を検出した警報管理装置１００は、入力切替部１０２により、停電用通信ケーブル３１ａを介して受信した通報装置１のセンサ出力を、制御部１０３ではなく、センサ状態検出部１０４で受け取って、入出力／表示部１０５に画面表示する。【選択図】        図１
2008065816.tif 000002
【特許請求の範囲】
【請求項１】
警報情報を集中して管理する警報管理装置と、接続した１ないし複数のセンサそれぞれにより検知されたセンサデータを１ないし複数の通信線を介して前記警報管理装置に通報する通報装置と、を少なくとも備えている警報センサシステムにおいて、前記通報装置が停電した場合、停電した前記通報装置と前記警報管理装置との間を、通常状態における前記通信線のうち、停電用通信ケーブルとしてあらかじめ定めた１ないし複数の通信線を接続する状態に切り替えて、前記停電用通信ケーブルを介して、前記警報管理装置から停電した前記通報装置に接続された前記センサに対して電源供給を行うことを特徴とする警報センサシステム。
【請求項２】
警報情報を集中して管理する警報管理装置と、接続した１ないし複数のセンサそれぞれにより検知されたセンサデータを１ないし複数の通信線を介して前記警報管理装置に通報する通報装置と、を少なくとも備えている警報センサシステムにおいて、前記通報装置が停電した場合、停電した前記通報装置と前記警報管理装置との間を、通常状態における前記通信線のうち、停電用通信ケーブルとしてあらかじめ定めた１ないし複数の通信線を接続する状態に切り替えて、前記停電用通信ケーブルを介して、各前記センサが検知したそれぞれのセンサデータのすべてまたは任意の個数ずつを単位にして、一つのセンサでも異常状態を検知した場合には、該異常状態の旨を出力可能な形式にまとめて、前記センサから前記警報管理装置へ伝達することを特徴とする警報センサシステム。
【請求項３】
請求項２に記載の警報センサシステムにおいて、前記通報装置が停電した場合、各前記センサが検知したそれぞれのセンサデータを、論理和演算または論理積演算を行うことにより、異常状態の旨を出力可能な形式にまとめることを特徴とする警報センサシステム。
【請求項４】
請求項２または３に記載の警報センサシステムにおいて、前記警報管理装置は、前記通報装置が停電した場合、前記停電用通信ケーブルを介して前記センサからまとめて伝達されてくるセンサデータを受け取って、異常状態を発生の有無を検出するセンサ状態検出手段を備えていることを特徴とする警報センサシステム。
【請求項５】
請求項１ないし４のいずれかに記載の警報センサシステムにおいて、前記警報管理装置は、前記通報装置から停電が発生した旨を示す停電情報を受信するか、あるいは、前記警報管理装置からあらかじめ定めた周期で定期的に前記通報装置に対して確認情報を送信して、正常に通信可能か否かを確認するか、あるいは、商用電源の状態を監視するか、のいずれかにより、前記通報装置が停電したか否かを検出することを特徴とする警報センサシステム。
【請求項６】
請求項１ないし５のいずれかに記載の警報センサシステムにおいて、前記警報管理装置は、前記停電用通信ケーブルに切り替えて接続した状態から通常状態の通信線による接続状態に、あらかじめ定めた周期で切り戻して、通信可能な状態に復旧したか否かを監視し、通信可能な状態に復帰して前記通報装置から停電復旧コマンドを受け取った際に、停電状態から通常状態に復旧することを特徴とする警報センサシステム。
【請求項７】
請求項１ないし６のいずれかに記載の警報センサシステムにおいて、前記通報装置に接続した１ないし複数の前記センサに、当該通報装置の停電の発生を検知する電源出力センサが含まれていることを特徴とする警報センサシステム。
【請求項８】
請求項１ないし７のいずれかに記載の警報センサシステムにおいて、前記警報管理装置に、各前記通報装置から受け取ったセンサデータおよび各前記通報装置の停電の有無を示すデータを保存するファイル管理手段を備えていることを特徴とする警報センサシステム。
【請求項９】
請求項１ないし８のいずれかに記載の警報センサシステムにおいて、前記警報管理装置は、各前記通報装置から受け取ったセンサデータおよび各前記通報装置の停電の有無を示すデータを、あらかじめ定めた周期で、定期的に、外部接続された外部管理センタに通報する通報手段を備えていることを特徴とする警報センサシステム。
【請求項１０】
請求項１ないし９のいずれかに記載の警報センサシステムにおいて、前記通報装置が複数からなり、各前記通報装置をマルチ接続して前記警報管理装置と接続することを特徴とする警報センサシステム。
【請求項１１】
請求項１ないし１０のいずれかに記載の警報センサシステムにおいて、前記通報装置と前記警報管理装置との間を通信する通信方式が、ＲＳ−２３２Ｃ、ＲＳ−４２２、ＲＳ−４８５のいずれかの通信方式に準拠していることを特徴とする警報センサシステム。
【請求項１２】
警報情報を集中して管理する警報管理装置と、接続した１ないし複数のセンサそれぞれにより検知されたセンサデータを１ないし複数の通信線を介して前記警報管理装置に通報する通報装置と、を少なくとも備えて、各前記センサのセンサデータを警報情報として出力する警報センサ出力方法において、前記通報装置が停電した場合、停電した前記通報装置と前記警報管理装置との間を、通常状態における前記通信線のうち、停電用通信ケーブルとしてあらかじめ定めた１ないし複数の通信線を接続する状態に切り替えて、前記停電用通信ケーブルを介して、前記警報管理装置から停電した前記通報装置に接続された前記センサに対して電源供給を行うことを特徴とする警報センサ出力方法。
【請求項１３】
警報情報を集中して管理する警報管理装置と、接続した１ないし複数のセンサそれぞれにより検知されたセンサデータを１ないし複数の通信線を介して前記警報管理装置に通報する通報装置と、を少なくとも備えて、各前記センサのセンサデータを警報情報として出力する警報センサ出力方法において、前記通報装置が停電した場合、停電した前記通報装置と前記警報管理装置との間を、通常状態における前記通信線のうち、停電用通信ケーブルとしてあらかじめ定めた１ないし複数の通信線を接続する状態に切り替えて、前記停電用通信ケーブルを介して、各前記センサが検知したそれぞれのセンサデータのすべてまたは任意の個数ずつを単位にして、一つのセンサでも異常状態を検知した場合には、該異常状態の旨を出力可能な形式にまとめて、前記センサから前記警報管理装置へ伝達することを特徴とする警報センサ出力方法。
【請求項１４】
請求項１３に記載の警報センサ出力方法において、前記通報装置が停電した場合、各前記センサが検知したそれぞれのセンサデータを、論理和演算または論理積演算を行うことにより、異常状態の旨を出力可能な形式にまとめることを特徴とする警報センサ出力方法。
【請求項１５】
請求項１３または１４に記載の警報センサ出力方法において、前記警報管理装置は、前記通報装置が停電した場合、前記停電用通信ケーブルを介して前記センサからまとめて伝達されてくるセンサデータを受け取って、異常状態を発生の有無を検出することができることを特徴とする警報センサ出力方法。
【請求項１６】
請求項１２ないし１５のいずれかに記載の警報センサ出力方法において、前記警報管理装置は、前記通報装置から停電が発生した旨を示す停電情報を受信するか、あるいは、前記警報管理装置からあらかじめ定めた周期で定期的に前記通報装置に対して確認情報を送信して、正常に通信可能か否かを確認するか、あるいは、商用電源の状態を監視するか、のいずれかにより、前記通報装置が停電したか否かを検出することを特徴とする警報センサ出力方法。
【請求項１７】
請求項１２ないし１６のいずれかに記載の警報センサ出力方法において、前記警報管理装置は、前記停電用通信ケーブルに切り替えて接続した状態から通常状態の通信線による接続状態に、あらかじめ定めた周期で切り戻して、通信可能な状態に復旧したか否かを監視し、通信可能な状態に復帰して前記通報装置から停電復旧コマンドを受け取った際に、停電状態から通常状態に復旧することを特徴とする警報センサ出力方法。
【請求項１８】
請求項１２ないし１７のいずれかに記載の警報センサ出力方法において、前記通報装置に接続した１ないし複数の前記センサに、当該通報装置の停電の発生を検知する電源出力センサが含まれていることを特徴とする警報センサ出力方法。
【請求項１９】
請求項１２ないし１８のいずれかに記載の警報センサ出力方法において、前記警報管理装置に、各前記通報装置から受け取ったセンサデータおよび各前記通報装置の停電の有無を示すデータを保存することを特徴とする警報センサ出力方法。
【請求項２０】
請求項１２ないし１９のいずれかに記載の警報センサ出力方法において、前記警報管理装置は、各前記通報装置から受け取ったセンサデータおよび各前記通報装置の停電の有無を示すデータを、あらかじめ定めた周期で、定期的に、外部接続された外部管理センタに通報することを特徴とする警報センサ出力方法。
【請求項２１】
請求項１２ないし２０のいずれかに記載の警報センサ出力方法において、前記通報装置が複数からなり、各前記通報装置をマルチ接続して前記警報管理装置と接続することを特徴とする警報センサ出力方法。
【請求項２２】
請求項１２ないし２１のいずれかに記載の警報センサ出力方法において、前記通報装置と前記警報管理装置との間を通信する通信方式が、ＲＳ−２３２Ｃ、ＲＳ−４２２、ＲＳ−４８５のいずれかの通信方式に準拠していることを特徴とする警報センサ出力方法。
【発明の詳細な説明】
【技術分野】
【０００１】
本発明は、警報センサシステムおよび警報センサ出力方法に関する。
【背景技術】
【０００２】
近年、特許文献１の特開２０００−２７８４３０号公報「集合住宅システム」や特許文献２の特開２００５−２０９０６４号公報「警報装置」のように、マンションや集合住宅などの各部屋に設置されたセンサが検知した情報を通報装置（通報端末）から警報データとして管理室にある警報管理装置へＲＳ−２３２ＣやＲＳ−４２２またはＲＳ−４８５などの通信方法にて転送することにより、各警報データを収集管理している。
【０００３】
【特許文献１】特開２０００−２７８４３０号公報（第３−５頁）
【特許文献２】特開２００５−２０９０６４号公報（第６−７頁）
【発明の開示】
【発明が解決しようとする課題】
【０００４】
しかしながら、一旦、マンションなどが停電状態になったりして、通報装置の電源が切断してしまった場合に、管理室に設置した警報管理装置において、各部屋のセンサの状態を把握することができない状態となり、機械警備ができない事態が発生する可能性がある。近年、各部屋のセンサが一つでも異常状態を検知して作動した場合は、通報装置がたとえ停電状態であっても、発生した異常状態を確実に検出することが、セキュリティ上また防災上、不可欠な必須の要件となりつつある。
【０００５】
本発明は、かかる問題を解決するためになされたものであり、通報装置が停電した場合、警報管理装置の接続形態を、停電した通報装置とではなく、その通報装置に接続されているセンサに直接接続する接続状態に切り替えるとともに、警報管理装置から停電した通報装置側のセンサに対して、電源を直接供給する状態に設定し、一つのセンサでも異常状態を検知した場合は異常状態が発生している旨を示す異常信号を、センサから警報管理装置へ直接出力することを可能とする警報センサシステムおよび警報センサ出力方法を提供することを目的とする。
【課題を解決するための手段】
【０００６】
前述の課題を解決するため、本発明による警報センサシステムは、次のような特徴的な構成を採用している。
【０００７】
（１）警報情報を集中して管理する警報管理装置と、接続した１ないし複数のセンサそれぞれにより検知されたセンサデータを１ないし複数の通信線を介して前記警報管理装置に通報する通報装置と、を少なくとも備えている警報センサシステムにおいて、前記通報装置が停電した場合、停電した前記通報装置と前記警報管理装置との間を、通常状態における前記通信線のうち、停電用通信ケーブルとしてあらかじめ定めた１ないし複数の通信線を接続する状態に切り替えて、前記停電用通信ケーブルを介して、前記警報管理装置から停電した前記通報装置に接続された前記センサに対して電源供給を行う警報センサシステム。
【発明の効果】
【０００８】
本発明の警報センサシステムおよび警報センサ出力方法によれば、次のような効果を奏することができる。
【０００９】
センサが検知した情報を伝達する通報装置と、各通報装置からの情報を集中管理する警報管理装置とが接続されて、警報管理装置にて各通報装置側の状態が管理されているが、一旦、通報装置側が停電状態となった場合は、警報管理装置は、通報装置側に接続されたセンサの状態まで把握できない状態となる。かかる状態を回避するために、各通信線のうち、停電用通信ケーブルとしてあらかじめ定めた１ないし複数の通信線を用いて、警報管理装置への接続を通報装置側からセンサ側に、１ないし複数のグループを単位にして接続替えするとともに、警報管理装置側からセンサ側へ電源を直接供給することにより、センサの状態を警報管理装置にて把握することを可能にし、いずれかのセンサが検知した異常状態を警報管理装置にて確実に検出することができる。
【００１０】
通報装置に接続された各センサからのセンサ出力は、通常、通報装置にてデータ変換され、ＲＳ−２３２ＣやＲＳ−４２２またはＲＳ−４８５の通信方式に準拠して警報管理装置へ出力されるが、通報装置が停電となった場合は、各センサにおいて、一つでも異常を検知している場合に異常状態の発生を出力可能な形態にまとめて（論理和または論理積して）、停電用通信ケーブルとしてあらかじめ定めた一つのまたは複数の通信線を用いて、各センサの検知結果をまとめたセンサ出力を、通報装置ではなく、警報管理装置へ導くことにより、通報装置側が停電状態となった場合であっても、何らかの異常状態を検知した旨を示すセンサ出力を警報管理装置側へ通報することができる。また、通報装置の停電からの復旧の判断は、警報管理装置側にて通報装置が通信可能か否かをあらかじめ定めた周期で定期的に確認することにより、停電の復旧を判断することができる。
【００１１】
また、管理警報装置に、各通報装置のセンサ出力状態を各通報装置の状態（停電中の有無を示す状態）とともに逐次保存して、管理することを可能とするとともに、外部に配置されている外部管理センタに対して、各通報装置のセンサ出力状態や通報装置の状態を定期的に通報することも可能としている。
【００１２】
さらには、例えば、ＲＳ−２３２ＣやＲＳ−４２２またはＲＳ−４８５などの通信方式にて何らかの複数のセンサデータを収集している場合に、センサデータを通報する側の通報装置の電源が切断したような場合であっても、センサデータをまとめた簡易な情報として把握するような仕組みにも利用することができる。
【発明を実施するための最良の形態】
【００１３】
以下、本発明によるセンサ出力方法および警報センサシステムの好適実施形態例について添付図を参照して説明する。
【００１４】
まず、本発明の特徴について、その概要を説明する。本発明は、警報情報を集中管理する警報管理装置に、各通報装置が接続され、通報装置それぞれに接続されたセンサの状態が、警報管理装置へ適宜出力されている構成において、通報装置側が停電状態となった場合に、通報装置に接続されているセンサからの異常情報が警報管理装置まで通報されなくなることを回避するために、通報装置が停電状態となった場合には、各センサ出力を１ないし複数の単位にまとめて、該通報装置を介さずに警報管理装置側に直接伝達可能とする状態に接続替えするとともに、該通報装置に接続されていた各センサのうち、異常状態を検知したセンサが一つでも存在している場合に、検知したその異常状態を出力可能な形式にまとめて（論理和または論理積して）、警報管理装置側へ出力することを可能とするものである。
【００１５】
（実施例の構成）
図１は、本発明に係わる通報装置と警報管理装置との接続構成の一例を示す接続構成図である。図１の接続構成図において、１は、例えばマンションの各部屋などに設置された通報装置であり、各部屋などの状況を監視する外部センサそれぞれが検知したセンサデータを、警報情報を集中管理する警報管理装置１００に対して、ＲＳ−２３２ＣやＲＳ−４２２またはＲＳ−４８５などの通信方式にて通報するように構成されている。つまり、一つの警報管理装置１００に、ＲＳ−２３２Ｃ、ＲＳ−４２２、ＲＳ−４８５などのインターフェースを用いて、１ないし複数の通報装置１（図１の例では、通報装置（Ａ）、…、通報装置（Ｂ）と表示している）が接続されて構成される。
【００１６】
各通報装置１には、外部センサと接続するためのセンサインターフェース部１０と、センサインターフェース部１０からの外部センサが検知した情報をセンサデータとして生成し、制御部３０に出力する一方、当該通報装置１の停電時に、各センサデータを論理和演算または論理積演算を行うことにより一つのセンサデータにまとめて、出力切替部４０に出力するセンサ集計部２０と、入力した各センサデータの入力元の外部センサ名を設定したり、通報装置１の全体を制御したりする制御部３０と、制御部３０からの各センサデータまたはセンサ集計部２０からの一つにまとめられたセンサデータを、ＲＳ−２３２ＣやＲＳ−４２２またはＲＳ−４８５通信方式に準拠した警報データへデータ変換し、ＲＳ−２３２ＣやＲＳ−４２２またはＲＳ−４８５の通信方式で警報管理装置１００へ通報する出力側インターフェース部５０と、当該通報装置１の電源を含み、当該電源の監視および停電検出を行う停電制御部６０と、当該通報装置１の停電状態において、出力側インターフェース部５０への入力を、制御部３０の出力センサデータからセンサ集計部２０の出力センサデータへと切り替える出力切替部４０と、が少なくとも備えられている。
【００１７】
また、警報管理装置１００には、各通報装置１からの各外部センサごとの警報データや通報装置１側のセンサ集計部２０にて一つのセンサデータにまとめられた警報データをＲＳ−２３２ＣやＲＳ−４２２またはＲＳ−４８５の通信方式で受け取る入力インターフェース部１０１と、通報装置１が停電時の入力を切り替える入力切替部１０２と、各通報装置１からの警報データの変換・分析や全体を制御する制御部１０３と、センサ側へ供給する電源を有し、通報装置１の停電時に、センサ側へ電源を供給するとともに、センサ集計部２０からのセンサデータを受信して、通報装置１の停電時のセンサの状態を検出するセンサ状態検出部１０４と、各通報装置１の状態やセンサの状態を表示するとともに、各通報装置１に対する設定を行うための情報を入力する入出力／表示部１０５と、警報管理装置１００の電源を含み、当該電源の監視および停電検出を行う停電制御部１０６と、各通報装置１から受信した各外部センサごとの警報データ（センサデータ）、および、通報装置１の停電時に一つにまとめられた警報データ（センサデータ）を保存して管理するファイル管理部１０７と、各通報装置１から受信した警報データ（センサデータ）を外部に配置されている外部管理センタに通報する通報部１０８と、が少なくとも備えられている。
【００１８】
（具体的な構成例）
図２、図３には、図１に示す通報装置１の各部の具体的な実施例として異なる２つの例を示しているが、通報装置１の停電時において一つのセンサデータにまとめるセンサ集計部２０の構成が、両者で異なっているのみで、その他の構成は全く同じである。つまり、図２は、各外部センサからセンサインターフェース部１０を介して入力されてくるセンサデータをセンサ集計部２０のダイオードＤ１、…、Ｄ２、Ｄ３とトランジスタ２１にて論理和演算を行うことにより一つのセンサデータにまとめる場合を示し、図３は、各外部センサからセンサインターフェース部１０を介して入力されてくるセンサデータをセンサ集計部２０のダイオードＤ４、…、Ｄ５、Ｄ６とトランジスタ２１にて論理積演算を行うことにより一つのセンサデータにまとめる場合を示している。
【００１９】
なお、図２に示す論理和演算回路、図３に示す論理積演算回路は、かかる構成に限るものではなく、この他の回路構成を用いても良い。また、図２、図３の通報装置１のいずれにおいても、外部センサの一つとして、当該通報装置１自身に発生した停電状態を検出するための電源出力センサ７０が備えられており、通報装置１に停電が発生した場合に、その旨を、センサ出力として警報管理装置１００側へ通知可能としている。ただし、本実施例においては、論理和や論理積の出力として、電源出力センサ７０を、他の外部センサとまとめるように構成している場合を示しているが、場合によっては、電源出力センサ７０と他の外部センサとを分離するインターフェースとしても良い。
【００２０】
また、図４には、図１に示す警報管理装置１００の各部の具体的な実施例を示している。図４に示すように、各通報装置１からの警報データ（センサデータ）は、入力インターフェース部１０１を介して制御部１０３に取り込まれて、適切なデータ形式に変換された後、ファイル管理部１０７に保存される。通報装置１の停電時には、停電した通報装置１からは一つにまとめられた警報データ（センサデータ）として取り込まれて、通報装置１の停電時のデータであることが識別可能な形式で、ファイル管理部１０７に保存される。
【００２１】
図５は、警報管理装置１００のファイル管理部１０７におけるファイル管理状態を説明するための模式図である。図５に示すように、ファイル管理部１０７には、各通報装置（図５には通報装置（Ａ）と通報装置（Ｂ）の２台の場合を示している）が停電していない通常時においては、図５（Ａ）に示すように、各外部センサごとの警報データ（センサデータ）を取り込んで、管理ファイルとして保存されている。図５（Ａ）の例では、通報装置（Ａ）側では、外部センサ１および外部センサ３において異常を検知しており、通報装置（Ｂ）側では、外部センサ２において異常を検知している旨が設定されている場合を示している。ここで、例えば、通報装置（Ａ）に停電状態が発生すると、通報装置（Ａ）からは、当該通報装置（Ａ）の停電の検出結果も含めて各外部センサのセンサデータが一つにまとめられて出力されてきており、図５（Ｂ）に示すように、ファイル管理部１０７には、通報装置（Ａ）側については、各外部センサの警報データ（センサデータ）を個別に保存していた状態をリセットして、通報装置（Ａ）が停電状態である旨を保存するようになる。ただし、停電状態にある通報装置（Ａ）については、停電状態の検出結果を優先して扱い、個別の各警報データ（センサデータ）をリセットしないで、そのまま保存し続けるようにしてもかまわない。
【００２２】
（実施例の動作の説明）
次に、図２〜図４に示す具体的な実施例を用いて、通報装置１が停電状態にない通常状態の場合、停電が発生した場合における動作について以下に詳細に説明する。
【００２３】
（通常状態）
まず、通報装置１が停電していない通常の状態について説明する。通報装置１のセンサインターフェース部１０には、それぞれ監視すべき事象ごとに設けられた外部センサとして、電源出力センサ７０、センサメーク接点１０ａ、…、センサブレーク接点１０ｂなどが接続されている。ここで、この外部センサには、通常時は停電制御部６０より電源が供給され、各センサが異常状態を検知せず作動していない場合、電源出力センサ７０、センサメーク接点１０ａ、…、センサブレーク接点１０ｂなどの各センサ出力は、０レベル（Ｌｏｗレベル）になっており、一方、異常状態を検知して作動した場合は、１レベル（Ｈｉｇｈレベル）になっている。
【００２４】
センサが検知したセンサデータは、センサデータ線１１やセンサデータ線１２やセンサデータ線１３を使って、センサインターフェース部１０からセンサ集計部２０を介して制御部３０へ送られる。センサごとの状態（センサデータ）および通報装置１の停電の状況などを示す通報データ（センサデータ）は、制御部３０にて出力切替部４０の切り替えスイッチ４１を介して、出力側インターフェース部５０にて、ＲＳ−２３２ＣやＲＳ−４２２またはＲＳ−４８５方式の警報データへ変換され、各センサに対応した１ないし複数の通信線３１により、警報管理装置１００へ伝達される。
【００２５】
ここに、出力切替部４０の切り替えスイッチ４１は、１ないし複数の通信線３１のうち、通報装置１が停電時には、通報装置１（すなわち制御部３０）を介さずに、各外部センサをセンサ集計部２０から警報管理装置１００へ直接接続するための接続切り替え手段を提供しており、停電が発生していない通常時には、図２に示すように、制御部３０からのセンサデータ（警報データ）がそれぞれのセンサに対応する通信線３１から警報管理装置１００へ通報される状態に設定されている。
【００２６】
各通報装置１が停電していない通常の状態として、各通報装置１の各センサに対応した１ないし複数の通信線３１からの各警報データ（センサデータ）を入力インターフェース部１０１、入力切替部１０２を介して受信した警報管理装置１００の制御部１０３は、各警報データ（センサデータ）を分析するとともに、ファイル管理部１０７にて、各通報装置１の状態（停電か否かを示す状態）とともに、通報装置１毎の各センサにおけるセンサ出力状態として逐次保存されて管理される。また、通報装置１毎の各センサ状態は、あらかじめ定めた周期で、定期的に、ファイル管理部１０７から読み出されて、通報部１０８から、ネットワークを介して、外部に配置されている外部管理センタへ送られて、各通報装置１の状態および通報装置１毎の各センサ状態が管理される。
【００２７】
（停電状態）
次に、通報装置１が通常状態において停電が発生した場合について説明する。停電が発生していなかった通常状態で、通報装置１の停電制御部６０にて、停電が検出されると、停電の旨を示す停電情報が警報管理装置１００側へ伝送され、停電状態となる。さらに、停電状態では、前述のように、センサ集計部２０において各センサからのセンサデータを論理和して（図２の場合）または論理積して（図３の場合）一つのデータとしてまとめられている一つのセンサデータ側に、出力切替部４０の切り替えスイッチ４１が切り替えられる。この結果、停電用通信ケーブル３１ａとしてあらかじめ定めた通信線３１のいずれか一つの通信線を介して、外部センサからのセンサデータ線１１、…、１２、１３を、一つのセンサでも異常状態を検知した場合には検知した異常状態を出力可能な形態にまとめて（各センサデータを論理和または論理積して）、警報管理装置１００に接続する状態に切り替えられる。なお、前述のように、外部センサには、通報装置１自身の停電状態を検出する電源出力センサ７０が備えられており、通報装置１が停電した場合には、当該通報装置１が停電した旨を含めて、警報管理装置１００側に通報される状態にすることも可能である。
【００２８】
警報管理装置１００では、図４に示すように、通報装置１から停電情報の信号を受け取ると、停電用通信ケーブル３１ａとしてあらかじめ定めた通報装置１側の通信線と対応した通信線の一つを、入力切替部１０２のｂ接点にて、制御部１０３側からセンサ状態検出部１０４側に切り替える。センサ状態検出部１０４は、停電用通信ケーブル３１ａを介して電源を停電中の通報装置１側のセンサへ供給するとともに、停電用通信ケーブル３１ａを介してセンサから一つにまとめて伝達されてくるセンサデータを受け取って、異常状態の発生の有無を検出することができる。なお、警報管理装置１００では、停電制御部１０６にて停電を検出した場合、あるいは、通報装置１側との間であらかじめ定めた周期で定期的に実施される通信が不良になっていることが確認された場合にも、同様に、入力切替部１０２のｂ接点にて、通報装置１との間を一つの通信線によるデータの送受信状態、当該通報装置１への電源供給状態に切り替える。さらに、当該通報装置１の各センサ状態を保存するファイル管理部１０７の保存形態を、図５（Ｂ）に示すような通報装置停電中を示す一つの状態表示にまとめた保存状態に変更するとともに、通報部１０８を介して、外部管理センタにその旨を通報する。
【００２９】
なお、センサ状態検出部１０４側に切り替える、通報装置１側と対応した通信線の一つは、停電用通信ケーブル３１ａとして、通報装置１の停電時における各センサのセンサデータを一つにまとめたセンサ検出線として使用し、各センサのいずれかが、異常状態の発生を検知した場合に、その異常状態を、通報装置１の制御部３０を介することなく、センサ集計部２０から、該センサ検出線を介して、警報管理装置１００側へ直接出力することを可能としている。
【００３０】
この警報管理装置１００側では、通報装置１の停電を、通報装置１からの停電情報の入手にて判断する他に、前述のように、警報管理装置１００から通報装置１へ定期的に確認通知を送信することにより、通報装置１と正常な通信が可能か否かを判定することにより、定期的な停電情報を入手して、停電と判断するようにしても良い。さらには、場合によっては、通報装置１が商用電源の同一給電系統に属している場合などにおいては、商用電源の状態を監視して、停電の有無を判断するようにしても良い。
【００３１】
通報装置１側の停電状況についてさらに説明すると、停電状態となった場合に、停電制御部６０の、例えばリレーＡが復旧し、切り替えスイッチ４１の接点ａが、図２とは逆側の接点に接続され、センサメーク接点１０ａ、…、センサブレーク接点１０ｂなどの各センサ出力が、いずれか一つでも異常状態を検知した際にその異常状態を出力することができる形に論理和されて（図２の場合）または論理積されて（図３の場合）一つにまとめられて、停電用通信ケーブル３１ａとされる通信線３１のいずれか一つを経由して、停電中の通報装置１の制御部３０を用いることなく、警報管理装置１００側へＲＳ−２３２ＣやＲＳ−４２２またはＲＳ−４８５の通信方式で伝達される。
【００３２】
警報管理装置１００側においては、通報装置１の停電検出時に、通報装置１側のこの停電用通信ケーブル３１ａに対応した通信線上に設けられた接点ｂが図４とは逆側の接点に接続されることにより、制御部１０３からセンサ状態検出部１０４側にデータ線４２を介して接続替えされる。この結果、センサ状態検出部１０４の電源４３から停電した通報装置１内のセンサ集計部２０を介してセンサ側へ電源が供給され、ＲＳ−２３２ＣやＲＳ−４２２またはＲＳ−４８５の通信線を介して、通報装置１のセンサからのセンサデータを直接伝達させることが可能な状態に切り替えられる。
【００３３】
この状態で、通報装置１側のいずれか一つのセンサでも異常状態を検知して作動した場合、例えば、センサメーク接点１０ａが作動した場合、センサメーク接点１０ａのメーク接点出力からセンサデータ線１１、センサ集計部２０のダイオードＤ１を介して、トランジスタ２１を動作させることにより、トランジスタ２１はＯＮ状態に切り替わり、トランジスタ２１のコレクタ出力は０レベル（Ｌｏｗレベル）になる。
【００３４】
これにより、通報装置１側の停電用通信ケーブル３１ａとなる通信線が０レベルに切り替わった結果、警報管理装置１００側では、該停電用通信ケーブル３１ａに対応する通信線に接点ｂおよびデータ線４２を介して接続替えされていたセンサ状態検出部１０４の端子には、１レベル（Ｈｉｇｈレベル）から０レベル（Ｌｏｗレベル）へ切り替わった信号が入力されてくる。したがって、警報管理装置１００側のセンサ状態検出部１０４は、通報装置１のセンサが少なくともいずれか一つにおいて異常状態を検知して作動していることを検出することができることになる。このセンサ状態検出部１０４の検出結果を、警報管理装置１００の入出力／表示部１０５にセンサ状態検出画面として画面表示することにより、通報装置１が停電状態となった場合であっても、当該通報装置１に接続されているセンサのいずれかが異常状態を検知して作動したことを確認することができることになる。
【００３５】
なお、前述の例では、停電時の通信線（停電用通信ケーブル３１ａ）として、通報装置１から警報管理装置１００への通信線３１のうち、いずれか一つに絞っている場合を説明したが、一つのみに限るものではなく、１ないし複数の通信線３１を、停電用通信ケーブル３１ａとして用いるようにして、それぞれにグループ分けしたセンサ出力を、１ないし複数の通信線３１それぞれにまとめて、警報管理装置１００側へ伝達するようにしても良い。この場合、停電用通信ケーブル３１ａとして用いられる１ないし複数の通信線３１それぞれに対応するセンサグループごとに、いずれかのセンサが異常状態を検知して作動したか否かを、警報管理装置１００側で把握することができる。また、警報管理装置１００から供給される電源も、停電用通信ケーブル３１ａとして用いられる１ないし複数の通信線３１それぞれに対応するセンサグループに対して、各通信線３１を経由して供給されることになる。
【００３６】
また、警報管理装置１００での通報装置１の停電検出は、前述したように、ＲＳ−２３２ＣやＲＳ−４２２またはＲＳ−４８５の通信方式に準拠して通報装置１側から停電を示す停電情報として停電コマンドのデータが送られてきた場合や、電源出力センサ７０の停電を示すセンサ出力状態として受信した場合や、警報管理装置１００側からの定期的な監視のみならず、場合によっては、警報管理装置１００側の商用電源の状態にても検出することができる。なお、一般に、警報管理装置１００側には、停電用のバックアップ電源を有しており、たとえ、商用電源が停電した場合であっても、あらかじめ定めた一定時間は給電を継続して警報管理を続行することが可能な状態にある。
【００３７】
（電源復旧の判断）
通報装置１側の停電の復旧は、警報管理装置１００側の通信線を停電用通信ケーブル３１ａの接続状態から通常状態への切り戻した状態にあらかじめ定めた一定時間毎に設定して、警報管理装置１００から定期的に通報装置１との通信が可能か否かを確認して、通報装置１からの停電復旧コマンドの入手を試みる。通報装置１から停電復旧コマンドを受け取り次第、接点ｂを完全に元の状態に復帰させて、通信線の接続を通常状態に戻し、通報装置１の通常の管理状態へと復旧させることができる。
【００３８】
（ＲＳ−４８５方式によるマルチ接続の場合）
以上の実施例の説明は、警報管理装置１００はＲＳ−２３２ＣやＲＳ−４２２またはＲＳ−４８５の通信方式であっても通報装置１とマルチ接続されていない場合であったが、例えばＲＳ−４８５通信方式を用いて複数の通報装置１のマルチ接続がなされていた場合は、いずれか一つの通報装置１から停電のコマンドを受け取った場合、あるいは、警報管理装置１００にて、いずれか一つの通報装置１との通信が不可能となった時点で、他の通報装置１に対して一斉に停電状態を指示するコマンドを警報管理装置１００から送信することによって、他の通報装置１を一斉に停電状態へ切り替えさせる。
【００３９】
これにより、マルチ接続された各通報装置１は、すべて、センサ出力を、異常状態を検知したセンサが一つでも存在している場合に、検知したその異常状態を出力することが可能な形式にまとめて（論理和または論理積して）、停電用通信ケーブル３１ａとしてあらかじめ定めた通信線を介して、警報管理装置１００側へ出力する状態に設定される。
【００４０】
しかる後、警報管理装置１００では、前述したように、停電用通信ケーブル３１ａに対応する通信線のいずれか一つを各通報装置１のセンサ検出用に切り替えて、各通報装置１のセンサの状態を監視することにする。通報装置１がＲＳ−４８５通信方式にてマルチ接続されている状態で、いずれの通報装置１も正常状態にあってセンサが作動していなければ、停電用通信ケーブル３１ａの通信線は、１レベル（Ｈｉｇｈレベル）を保持され、もし、いずれかの通報装置１の一つのセンサでも異常状態を検知して作動すれば、その通報装置１のトランジスタ２１が動作して、停電用通信ケーブル３１ａの通信線は、０レベル（Ｌｏｗレベル）となる。したがって、この０レベル（Ｌｏｗレベル）が、警報管理装置１００のセンサ状態検出部１０４にて検出され、いずれかの通報装置１のいずれかのセンサが異常状態を検知して作動したことを把握することができることになる。
【００４１】
なお、ＲＳ−４８５にてマルチ接続されていた場合における復旧動作は、単独接続の場合と同様に、警報管理装置１００側の通信線の通常状態への切り替えを一定時間毎に実施し、警報管理装置１００から定期的に通信可能か否かを確認する動作を、通報装置１から停電復旧コマンドが送られてくるまで繰り返し、通報装置１から停電復旧コマンドが送られて来る状態となった場合に復旧動作として、接点ｂを完全に戻して、通常状態に復帰し、通信線を通常の状態に復旧させる。
【００４２】
（本実施例による効果の説明）
警報に関する情報を検出するセンサが接続された通報装置１側と警報管理装置１００とが接続されて、警報管理装置１００によって通報装置１側の状態が管理されている形態において、一旦、通報装置１側が停電状態となった場合は、警報管理装置１００は、通報装置１側に接続されたセンサの状態を把握することができない状態となる。しかし、本実施例においては、通報装置１側が停電状態になった場合に、警報管理装置１００側から停電状態の通報装置１に接続されているセンサ側に対して電源を供給するとともに、センサの異常状態の検知の有無をセンサの状態として把握することが可能であり、通報装置１の停電状態でのセンサ側の状態を管理することができる。
【００４３】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。例えば、本発明の実施態様は、課題を解決するための手段における構成（１）に加えて次のような構成として表現できる。
（２）警報情報を集中して管理する警報管理装置と、接続した１ないし複数のセンサそれぞれにより検知されたセンサデータを１ないし複数の通信線を介して前記警報管理装置に通報する通報装置と、を少なくとも備えている警報センサシステムにおいて、前記通報装置が停電した場合、各前記センサが検知したそれぞれのセンサデータのすべてまたは任意の個数ずつを単位にして、一つのセンサでも異常状態を検知した場合には、該異常状態の旨を出力可能な形式にまとめて、対応する１ないし複数の通信線からなる前記停電用通信ケーブルを介して、前記センサから前記警報管理装置へ伝達する警報センサシステム。
（３）上記（２）の警報センサシステムにおいて、前記通報装置が停電した場合、各前記センサが検知したそれぞれのセンサデータを、論理和演算または論理積演算を行うことにより、異常状態の旨を出力可能な形式にまとめる警報センサシステム。
（４）上記（２）または（３）の警報センサシステムにおいて、前記警報管理装置は、前記通報装置が停電した場合、前記停電用通信ケーブルを介して前記センサからまとめて伝達されてくるセンサデータを受け取って、異常状態を発生の有無を検出するセンサ状態検出手段を備えている警報センサシステム。
（５）上記（１）ないし（４）のいずれかの警報センサシステムにおいて、前記警報管理装置は、前記通報装置から停電が発生した旨を示す停電情報を受信するか、あるいは、前記警報管理装置からあらかじめ定めた周期で定期的に前記通報装置に対して確認情報を送信して、正常に通信可能か否かを確認するか、あるいは、商用電源の状態を監視するか、のいずれかにより、前記通報装置が停電したか否かを検出する警報センサシステム。
（６）上記（１）ないし（５）のいずれかの警報センサシステムにおいて、前記警報管理装置は、前記停電用通信ケーブルに切り替えて接続した状態から通常状態の通信線による接続状態に、あらかじめ定めた周期で切り戻して、通信可能な状態に復旧したか否かを監視し、通信可能な状態に復帰して前記通報装置から停電復旧コマンドを受け取った際に、停電状態から通常状態に復旧する警報センサシステム。
（７）上記（１）ないし（６）のいずれかの警報センサシステムにおいて、前記通報装置に接続した１ないし複数の前記センサに、当該通報装置の停電の発生を検知する電源出力センサが含まれている警報センサシステム。
（８）上記（１）ないし（７）のいずれかの警報センサシステムにおいて、前記警報管理装置に、各前記通報装置から受け取ったセンサデータおよび各前記通報装置の停電の有無を示すデータを保存するファイル管理手段を備えている警報センサシステム。
（９）上記（１）ないし（８）のいずれかの警報センサシステムにおいて、前記警報管理装置は、各前記通報装置から受け取ったセンサデータおよび各前記通報装置の停電の有無を示すデータを、あらかじめ定めた周期で、定期的に、外部接続された外部管理センタに通報する通報手段を備えている警報センサシステム。
（１０）上記（１）ないし（９）いずれかの警報センサシステムにおいて、前記通報装置が複数からなり、各前記通報装置をマルチ接続して前記警報管理装置と接続する警報センサシステム。
（１１）上記（１）ないし（１０）いずれかの警報センサシステムにおいて、前記通報装置と前記警報管理装置との間を通信する通信方式が、ＲＳ−２３２Ｃ、ＲＳ−４２２、ＲＳ−４８５のいずれかの通信方式に準拠している警報センサシステム。
（１２）警報情報を集中して管理する警報管理装置と、接続した１ないし複数のセンサそれぞれにより検知されたセンサデータを１ないし複数の通信線を介して前記警報管理装置に通報する通報装置と、を少なくとも備えて、各前記センサのセンサデータを警報情報として出力する警報センサ出力方法において、前記通報装置が停電した場合、停電した前記通報装置と前記警報管理装置との間を、通常状態における前記通信線のうち、停電用通信ケーブルとしてあらかじめ定めた１ないし複数の通信線を接続する状態に切り替えて、前記停電用通信ケーブルを介して、前記警報管理装置から停電した前記通報装置に接続された前記センサに対して電源供給を行う警報センサ出力方法。
（１３）警報情報を集中して管理する警報管理装置と、接続した１ないし複数のセンサそれぞれにより検知されたセンサデータを１ないし複数の通信線を介して前記警報管理装置に通報する通報装置と、を少なくとも備えて、各前記センサのセンサデータを警報情報として出力する警報センサ出力方法において、前記通報装置が停電した場合、各前記センサが検知したそれぞれのセンサデータのすべてまたは任意の個数ずつを単位にして、一つのセンサでも異常状態を検知した場合には、該異常状態の旨を出力可能な形式にまとめて、対応する１ないし複数の通信線からなる前記停電用通信ケーブルを介して、前記センサから前記警報管理装置へ伝達する警報センサ出力方法。
（１４）上記（１３）の警報センサ出力方法において、前記通報装置が停電した場合、各前記センサが検知したそれぞれのセンサデータを、論理和演算または論理積演算を行うことにより、異常状態の旨を出力可能な形式にまとめる警報センサ出力方法。
（１５）上記（１３）ないし（１４）いずれかの警報センサ出力方法において、前記警報管理装置は、前記通報装置が停電した場合、前記停電用通信ケーブルを介して前記センサからまとめて伝達されてくるセンサデータを受け取って、異常状態を発生の有無を検出することができる警報センサ出力方法。
（１６）上記（１２）ないし（１５）のいずれかの警報センサ出力方法において、前記警報管理装置は、前記通報装置から停電が発生した旨を示す停電情報を受信するか、あるいは、前記警報管理装置からあらかじめ定めた周期で定期的に前記通報装置に対して確認情報を送信して、正常に通信可能か否かを確認するか、あるいは、商用電源の状態を監視するか、のいずれかにより、前記通報装置が停電したか否かを検出する警報センサ出力方法。
（１７）上記（１２）ないし（１６）いずれかの警報センサ出力方法において、前記警報管理装置は、前記停電用通信ケーブルに切り替えて接続した状態から通常状態の通信線による接続状態に、あらかじめ定めた周期で切り戻して、通信可能な状態に復旧したか否かを監視し、通信可能な状態に復帰して前記通報装置から停電復旧コマンドを受け取った際に、停電状態から通常状態に復旧することを特徴とする警報センサ出力方法。
（１８）上記（１２）ないし（１７）いずれかの警報センサ出力方法において、前記通報装置に接続した１ないし複数の前記センサに、当該通報装置の停電の発生を検知する電源出力センサが含まれている警報センサ出力方法。
（１９）上記（１２）ないし（１８）のいずれかの警報センサ出力方法において、前記警報管理装置に、各前記通報装置から受け取ったセンサデータおよび各前記通報装置の停電の有無を示すデータを保存する警報センサ出力方法。
（２０）上記（１２）ないし（１９）いずれかの警報センサ出力方法において、前記警報管理装置は、各前記通報装置から受け取ったセンサデータおよび各前記通報装置の停電の有無を示すデータを、あらかじめ定めた周期で、定期的に、外部接続された外部管理センタに通報する警報センサ出力方法。
（２１）上記（１２）ないし（２０）いずれかの警報センサ出力方法において、前記通報装置が複数からなり、各前記通報装置をマルチ接続して前記警報管理装置と接続する警報センサ出力方法。
（２２）上記（１２）ないし（２１）いずれかの警報センサ出力方法において、前記通報装置と前記警報管理装置との間を通信する通信方式が、ＲＳ−２３２Ｃ、ＲＳ−４２２、ＲＳ−４８５のいずれかの通信方式に準拠している警報センサ出力方法。
【図面の簡単な説明】
【００４４】
【図１】本発明に係わる通報装置と警報管理装置との接続構成の一例を示す接続構成図である。
【図２】図１に示す通報装置の各部の具体的な実施例の一例を示す説明図である。
【図３】図１に示す通報装置の各部の具体的な実施例の図２とは異なる例を示す説明図である。
【図４】図１に示す警報管理装置の各部の具体的な実施例を示す説明図である。
【図５】図１に示す警報管理装置におけるファイル管理状態を説明するための模式図である。
【符号の説明】
【００４５】
１                      通報装置
１０                    センサインターフェース部
１０ａ                  センサメーク接点
１０ｂ                  センサブレーク接点
１１、１２、１３        センサデータ線
２０                    センサ集計部
２１                    トランジスタ
３０                    制御部
３１                    通信線
３１ａ                  停電用通信ケーブル
４０                    出力切替部
４１                    切り替えスイッチ
４２                    データ線
４３                    電源
５０                    出力側インターフェース部
６０                    停電制御部
７０                    電源出力センサ
１００                  警報管理装置
１０１                  入力インターフェース部
１０２                  入力切替部
１０３                  制御部
１０４                  センサ状態検出部
１０５                  入出力／表示部
１０６                  停電制御部
１０７                  ファイル管理部
１０８                  通報部
Ｄ１、…、Ｄ２、Ｄ３    ダイオード
Ｄ４、…、Ｄ５、Ｄ６    ダイオード
【図１】
2008065816.tif 000003
【図２】
2008065816.tif 000004
【図３】
2008065816.tif 000005
【図４】
2008065816.tif 000006
【図５】
2008065816.tif 000007